(57)【要約】【課題】ノイズの影響が小さく、コネクタ内の端子対の間隔を広く取ることができ、小型化が可能な中継コネクタの提供。【解決手段】ハウジング６ａの一部に設けられた１対又は複数対の第１端子１ａ，１ｂと、ハウジング６ａの他部に設けられた１対又は複数対の第２端子３ａ，３ｂと、ハウジング６ａ内で第１端子１ａ，１ｂ及び第２端子３ａ，３ｂ間をそれぞれ接続し、第１端子１ａ，１ｂ及び第２端子３ａ，３ｂと一体形成された１対又は複数対の接続導体２ａ，２ｂとを備える中継コネクタ。同一対に属する接続導体２ａ，２ｂが、互いに立体交差している構成である。【選択図】図１
2014222598.tif 000002
【特許請求の範囲】
【請求項１】
ハウジングの一部に設けられた１対又は複数対の第１端子と、前記ハウジングの他部に設けられた１対又は複数対の第２端子と、前記ハウジング内で前記第１端子及び第２端子間をそれぞれ接続し、該第１端子及び第２端子と一体形成された１対又は複数対の接続導体とを備える中継コネクタにおいて、
同一対に属する前記接続導体は、互いに立体交差していることを特徴とする中継コネクタ。
【請求項２】
前記第１端子及び第２端子は、同一平面上に設けられ、かつ、前記ハウジングの一部及び他部上にそれぞれ千鳥状に配置された各２つの仮想点列の各１点上に設けられ、同一対に属する前記接続導体は、それぞれ湾曲又は屈曲して立体交差している請求項１記載の中継コネクタ。
【請求項３】
前記ハウジングは、直方体形状であり、前記第１端子は前記ハウジングの一端部に設けられ、前記第２端子は他端部に設けられている請求項１又は２記載の中継コネクタ。
【請求項４】
前記接続導体は、前記ハウジング内で樹脂によりモールドされている請求項１から３の何れか１項記載の中継コネクタ。
【発明の詳細な説明】
【技術分野】
【０００１】
本発明は、ハウジングの両端部に設けられた１又は複数の端子対と、ハウジング内で両端部の端子間をそれぞれ接続し、両端部の端子と一体形成された接続導体とを備える中継コネクタに関するものである。
【背景技術】
【０００２】
車両には、多くの電装品が搭載されており、これらの電装品に電源を供給する為、また、電装品間で通信する為に、多くのワイヤーハーネスが使用されている。ワイヤーハーネス間を接続する場合には、両方向に端子を備える中継コネクタが使用されることがあり、中継コネクタには、方向によりオス端子／メス端子の種類が異なるもの、両方向ともオス端子又はメス端子のものがある。
【０００３】
車両には、点火装置（イグナイタ）等のノイズ源が搭載されており、ワイヤーハーネスの電線対が平行線であれば、ノイズの影響を大きく受ける。この為、電線対にツイストペア線を使用する等、ノイズ対策が施されている。
ツイストペア線の場合、ツイストペア線を外部から貫通する磁束により２線に発生する電流が、２線が交差する都度反転し、互いに打消し合うので、外部からのノイズを拾い難い。また、交差点間の２線に流れる電流で形成される仮想ループでの発生磁束が、隣同士で逆向きになって打ち消し合うので、ノイズを外部へ出し難い。
【０００４】
特許文献１には、ツイストペア線を用いたコネクタに対し、その端子部分で電磁シールド効果及びクロストーク（混信）低減効果が破れることを防止できるコネクタが開示されている。コネクタ連結状態で２つの端子接続体が、３次元的にそれらの位置を交互に入れ替えながら立体交差する様にして配置形成されている。
特許文献１に記載されたコネクタでは、オス側及びメス側の両コネクタ内で、端子接続体に螺旋を設ける為、両コネクタの長手方向が長くなる。また、２つの端子接続体を接触させることなく二重螺旋に構成するのは難しく、組込み作業の効率が悪い。
【先行技術文献】
【特許文献】
【０００５】
【特許文献１】特開２００４−４７２９６号公報
【発明の概要】
【発明が解決しようとする課題】
【０００６】
車両では、電装品の増加に伴い、ワイヤーハーネス及びコネクタ類の小型化が望まれているが、ノイズの影響を減らす為には、コネクタ内の端子対の間隔を広く取る必要があるという問題がある。また、ワイヤーハーネスにツイストペア線を用いても、ノイズ対策を施していない中継コネクタでノイズを拾ってしまうという問題もある。
【０００７】
本発明は、上述したような事情に鑑みてなされたものであり、ノイズの影響が小さく、コネクタ内の端子対の間隔を広く取ることができ、小型化が可能な中継コネクタを提供することを目的とする。
【課題を解決するための手段】
【０００８】
第１発明に係る中継コネクタは、ハウジングの一部に設けられた１対又は複数対の第１端子と、前記ハウジングの他部に設けられた１対又は複数対の第２端子と、前記ハウジング内で前記第１端子及び第２端子間をそれぞれ接続し、該第１端子及び第２端子と一体形成された１対又は複数対の接続導体とを備える中継コネクタにおいて、同一対に属する前記接続導体は、互いに立体交差していることを特徴とする。
【０００９】
この中継コネクタでは、１対又は複数対の第１端子が、ハウジングの一部に設けられ、１対又は複数対の第２端子が、ハウジングの他部に設けられている。１対又は複数対の接続導体が、ハウジング内で第１端子及び第２端子間をそれぞれ接続し、第１端子及び第２端子と一体形成されている。同一対に属し、第１端子及び第２端子と一体形成されている接続導体は、互いに立体交差している。
【００１０】
第２発明に係る中継コネクタは、前記第１端子及び第２端子は、同一平面上に設けられ、かつ、前記ハウジングの一部及び他部上にそれぞれ千鳥状に配置された各２つの仮想点列の各１点上に設けられ、同一対に属する前記接続導体は、それぞれ湾曲又は屈曲して立体交差していることを特徴とする。
【００１１】
この中継コネクタでは、第１端子及び第２端子は、同一平面上に設けられ、かつ、ハウジングの一部及び他部上にそれぞれ千鳥状に配置された各２つの仮想点列の各１点上に設けられている。同一対に属し、第１端子及び第２端子と一体形成されている接続導体は、それぞれ湾曲又は屈曲して立体交差している。
【００１２】
第３発明に係る中継コネクタは、前記ハウジングは、直方体形状であり、前記第１端子は前記ハウジングの一端部に設けられ、前記第２端子は他端部に設けられていることを特徴とする。
【００１３】
第４発明に係る中継コネクタは、前記接続導体は、前記ハウジング内で樹脂によりモールドされていることを特徴とする。
【発明の効果】
【００１４】
本発明に係る中継コネクタによれば、ノイズの影響が小さく、コネクタ内の端子対の間隔を広く取ることができる中継コネクタを実現することができる。
【図面の簡単な説明】
【００１５】
【図１】本発明に係る中継コネクタの実施の形態を模式的及び透視図的に示す斜視図である。
【図２】図１に示す中継コネクタのオス端子、接続導体及びオス端子の各形状例を示す斜視図である。
【図３】本発明に係る中継コネクタの実施の形態を模式的及び透視図的に示す斜視図である。
【図４】本発明に係る中継コネクタの実施の形態を模式的及び透視図的に示す斜視図である。
【図５】本発明に係る中継コネクタへの外部ノイズの影響を試験する為の試験回路の構成例を示すブロック図である。
【図６】図５に示す試験回路による試験結果の例を集約した図表である。
【発明を実施するための形態】
【００１６】
以下に、本発明をその実施の形態を示す図面に基づき説明する。
（実施の形態１）
図１は、本発明に係る中継コネクタの実施の形態１を模式的及び透視図的に示す斜視図である。
この中継コネクタ４０ａは、直方体形状のハウジング６ａの一端部上に千鳥状に配置された２つの仮想点列１０，１１の各１点上に設けられたオス端子１ａ，１ｂ（第１端子）と、ハウジング６ａの他端部上に千鳥状に配置された２つの仮想点列１２，１３の各１点上に設けられ、オス端子１ａ，１ｂにそれぞれ対向するオス端子３ｂ，３ａ（第２端子）とを備えている。
【００１７】
オス端子１ａ及びオス端子３ａは、接続導体２ａにより接続され、オス端子１ａ，３ａ及び接続導体２ａは一体形成されている。オス端子１ｂ及びオス端子３ｂは、接続導体２ｂにより接続され、オス端子１ｂ，３ｂ及び接続導体２ｂは一体形成されている。
オス端子１ａ，３ａ，１ｂ，３ｂは、同一平面上に設けられており、接続導体２ａ，２ｂは、ハウジング６ａの一端部及び他端部の中間で互いに立体交差している。
立体交差した接続導体２ａ，２ｂは、ハウジング６ａの中間部に充填された樹脂７ａによりモールドされており、オス端子１ａ，３ａ，１ｂ，３ｂは、ハウジング６ａ内で樹脂７ａから突き出すように設けられている。
【００１８】
図２は、オス端子１ａ、接続導体２ａ及びオス端子３ａ、並びにオス端子１ｂ、接続導体２ｂ及びオス端子３ｂの各形状例を示す斜視図である。
オス端子１ａ、接続導体２ａ及びオス端子３ａは、接続導体２ａの中央で一部が一方向へ突き出るように屈曲し（Ａ）、オス端子１ｂ、接続導体２ｂ及びオス端子３ｂは、接続導体２ｂの中央で一部が他方向へ突き出るように屈曲している（Ｂ）。これにより、接続導体２ａ，２ｂは、接触することなく互いに立体交差することが可能になっている。
【００１９】
オス端子１ａ、接続導体２ａ及びオス端子３ａ、並びにオス端子１ｂ、接続導体２ｂ及びオス端子３ｂの各形状は、図２Ａ，Ｂ以外の他の形状でも良く、例えば、接続導体２ａ全体が一方向へ突き出るように中央で屈曲し（Ｃ）、接続導体２ｂ全体が他方向へ突き出るように中央で屈曲する（Ｄ）形状でも良い。また、接続導体２ａ全体が一方向へ突き出るように湾曲し（Ｅ）、接続導体２ｂ全体が他方向へ突き出るように湾曲する（Ｆ）形状でも良い。
【００２０】
このような構成の中継コネクタ４０ａは、メスコネクタ５０ａ，６０ａが両側から嵌め合うことにより接続される。
メスコネクタ５０ａは、直方体形状のハウジング８ａの一端部上に千鳥状に配置された２つの仮想点列１４，１５の各１点上に設けられたメス端子４ａ，４ｂ（凹部は図示を省略）を備えている。ハウジング８ａの一端部が、中継コネクタ４０ａのハウジング６ａの一端部に挿入されることにより、メス端子４ａ，４ｂにオス端子１ａ，１ｂが挿入され接続される。
【００２１】
メスコネクタ６０ａは、直方体形状のハウジング９ａの一端部上に千鳥状に配置された２つの仮想点列１６，１７の各１点上に設けられたメス端子５ｂ，５ａ（凹部は図示を省略）を備えている。ハウジング９ａの一端部が、中継コネクタ４０ａのハウジング６ａの他端部に挿入されることにより、メス端子５ｂ，５ａにオス端子３ｂ，３ａが挿入され接続される。
【００２２】
メス端子４ａ，４ｂにオス端子１ａ，１ｂが接続され、メス端子５ｂ，５ａにオス端子３ｂ，３ａが接続されている場合、メス端子４ａ，４ｂに接続された図示しないツイストペア線、メス端子４ａ，４ｂ、オス端子１ａ，１ｂ、接続導体２ａ，２ｂにより仮想ループが形成され、メス端子５ｂ，５ａ側にも同様の仮想ループが形成される。外部から貫通する磁束によりこれらの仮想ループに発生する電流は、ツイストペア線及び接続導体２ａ，２ｂがそれぞれ交差する都度反転し、互いに打消し合うので、外部からのノイズの影響が低減される。
【００２３】
尚、接続導体が立体交差していなければ、中継コネクタにおける導体の連続した平行部分の長さは、最短でも端子の長さ２つ分となるが、本発明に係る中継コネクタ４０ａにおける導体の連続した平行部分の長さは，概ね端子の長さ１つ分であり、外部からのノイズの影響は小さくなる。
尚、オス端子１ａ，１ｂ（第１端子）及びオス端子３ｂ，３ａ（第２端子）が各１対である場合は、ハウジング６ａの一端部上に千鳥状に配置された２つの仮想点列１０，１１の各他点上にオス端子を設け、２つの仮想点列１２，１３の各他点上にオス端子を設けても良い。これにより、中継コネクタ４０ａ内の端子対の間隔を更に広く取ることができる。
【００２４】
（実施の形態２）
図３は、本発明に係る中継コネクタの実施の形態２を模式的及び透視図的に示す斜視図である。
この中継コネクタ４０ｂは、直方体形状のハウジング６ｂの一端部上に千鳥状に配置された２つの仮想点列１８，１９の各１点上に設けられたオス端子１ｃ，１ｄ（第１端子）と、ハウジング６ｂの他端部上に千鳥状に配置された２つの仮想点列２０，２１の各１点上に設けられたオス端子３ｄ，３ｃ（第２端子）とを備えている。尚、オス端子３ｄ，３ｃは、仮想点列２０，２１の各１点上に設けられているが、オス端子１ｃ，１ｄに対向はしていない。
【００２５】
オス端子１ｃ及びオス端子３ｃは、接続導体２ｃにより接続され、オス端子１ｃ，３ｃ及び接続導体２ｃは一体形成されている。オス端子１ｄ及びオス端子３ｄは、接続導体２ｄにより接続され、オス端子１ｄ，３ｄ及び接続導体２ｄは一体形成されている。
オス端子１ｃ，３ｃ，１ｄ，３ｄは、基部が同一平面上に設けられており、接続導体２ｃ，２ｄは、ハウジング６ｂの一端部及び他端部の中間で互いに立体交差している。
立体交差した接続導体２ｃ，２ｄは、ハウジング６ｂの中間部に充填された樹脂７ｂによりモールドされており、オス端子１ｃ，３ｃ，１ｄ，３ｄは、ハウジング６ｂ内で樹脂７ｂから突き出すように設けられている。
【００２６】
このような構成の中継コネクタ４０ｂは、メスコネクタ５０ｂ，６０ｂが両側から嵌め合うことにより接続される。
メスコネクタ５０ｂは、直方体形状のハウジング８ｂの一端部上に千鳥状に配置された２つの仮想点列２２，２３の各１点上に設けられたメス端子４ｃ，４ｄ（凹部は図示を省略）を備えている。ハウジング８ｂの一端部が、中継コネクタ４０ｂのハウジング６ｂの一端部に挿入されることにより、メス端子４ｃ，４ｄにオス端子１ｃ，１ｄが挿入され接続される。
【００２７】
メスコネクタ６０ｂは、直方体形状のハウジング９ｂの一端部上に千鳥状に配置された２つの仮想点列２４，２５の各１点上に設けられたメス端子５ｄ，５ｃ（凹部は図示を省略）を備えている。ハウジング９ｂの一端部が、中継コネクタ４０ｂのハウジング６ｂの他端部に挿入されることにより、メス端子５ｄ，５ｃにオス端子３ｄ，３ｃが挿入され接続される。その他の構成及び動作は、実施の形態１で説明した構成及び動作と同様であるので、説明を省略する。
【００２８】
（実施の形態３）
図４は、本発明に係る中継コネクタの実施の形態３を模式的及び透視図的に示す斜視図である。
この中継コネクタ４０ｃは、直方体形状のハウジング６ｃの一端部上に千鳥状に配置された２つの仮想点列２６，２７の各３点上に設けられた３つのオス端子対１ｅ−１ｆ，１ｇ−１ｈ，１ｉ−１ｊ（第１端子対）と、ハウジング６ｃの一端部に対向する他端部上に千鳥状に配置された２つの仮想点列２８，２９の各３点上に設けられた３つのオス端子対３ｆ−３ｅ，３ｈ−３ｇ，３ｊ−３ｉ（第２端子対）とを備えている。オス端子対１ｅ−１ｆ，１ｇ−１ｈ，１ｉ−１ｊは、オス端子対３ｆ−３ｅ，３ｈ−３ｇ，３ｊ−３ｉにそれぞれ対向している。
【００２９】
オス端子１ｅ，１ｆ，１ｇ，１ｈ，１ｉ，１ｊ及びオス端子３ｅ，３ｆ，３ｇ，３ｈ，３ｉ，３ｊは、接続導体２ｅ，２ｆ，２ｇ，２ｈ，２ｉ，２ｊによりそれぞれ接続され、オス端子１ｅ，１ｆ，１ｇ，１ｈ，１ｉ，１ｊ、オス端子３ｅ，３ｆ，３ｇ，３ｈ，３ｉ，３ｊ、及び接続導体２ｅ，２ｆ，２ｇ，２ｈ，２ｉ，２ｊは、それぞれ一体形成されている。
【００３０】
オス端子１ｅ−３ｅ−１ｆ−３ｆ，１ｇ−３ｇ−１ｈ−３ｈ，１ｉ−３ｉ−１ｊ−３ｊは、それぞれ同一平面上に設けられており、接続導体２ｅ−２ｆ，２ｇ−２ｈ，２ｉ−２ｊは、それぞれハウジング６ｃの一端部及び他端部の中間で互いに立体交差している。
それぞれ立体交差した接続導体２ｅ−２ｆ，２ｇ−２ｈ，２ｉ−２ｊは、ハウジング６ｃの中間部に充填された樹脂７ｃによりモールドされており、オス端子１ｅ，１ｆ，１ｇ，１ｈ，１ｉ，１ｊ，３ｅ，３ｆ，３ｇ，３ｈ，３ｉ，３ｊは、ハウジング６ｃ内で樹脂７ｃからそれぞれ突き出すように設けられている。
【００３１】
このような構成の中継コネクタ４０ｃは、メスコネクタ５０ｃ，６０ｃが両側から嵌め合うことにより接続される。
メスコネクタ５０ｃは、直方体形状のハウジング８ｃの一端部上に千鳥状に配置された２つの仮想点列３０，３１の各３点上に設けられた３つのメス端子対４ｅ−４ｆ，４ｇ−４ｈ，４ｉ−４ｊ（凹部は図示を省略）を備えている。ハウジング８ｃの一端部が、中継コネクタ４０ｃのハウジング６ｃの一端部に挿入されることにより、メス端子４ｅ，４ｆ，４ｇ，４ｈ，４ｉ，４ｊにオス端子１ｅ，１ｆ，１ｇ，１ｈ，１ｉ，１ｊがそれぞれ挿入され接続される。
【００３２】
メスコネクタ６０ｃは、直方体形状のハウジング９ｃの一端部上に千鳥状に配置された２つの仮想点列３２，３３の各３点上に設けられた３つのメス端子対５ｆ−５ｅ，５ｈ−５ｇ，５ｊ−５ｉ（凹部は図示を省略）を備えている。ハウジング９ｃの一端部が、中継コネクタ４０ｃのハウジング６ｃの他端部に挿入されることにより、メス端子５ｆ，５ｅ，５ｈ，５ｇ，５ｊ，５ｉにオス端子３ｆ，３ｅ，３ｈ，３ｇ，３ｊ，３ｉがそれぞれ挿入され接続される。その他の構成及び動作は、実施の形態１で説明した構成及び動作と同様であるので、説明を省略する。
【００３３】
（ノイズ試験）
図５は、本発明に係る中継コネクタへの外部ノイズの影響を試験する為の試験回路の構成例を示すブロック図である。
この試験回路は、車両の最も大きなノイズ源である点火装置（イグナイタ）７０と終端回路７１とを接続するケーブル８２に沿って、ツイストペア線８３を這わせてある。ツイストペア線８３のノイズ源から電磁的に隔離した一端にＣＭＣ（Common Mode Choke）の終端回路７６及びＣＡＮ（Controller Area Network）ドライバ７７を、ノイズ源から電磁的に隔離した他端にＣＭＣの終端回路７８及びＣＡＮドライバ７９を接続してある。
【００３４】
ツイストペア線８３のケーブル８２に沿う部分に、試験結果を強調する為に、４組のコネクタ接続部７２〜７５を直列に介装してあり、コネクタ接続部７２〜７５は、それぞれ、メスコネクタ、中継コネクタ及びメスコネクタの組合せで接続されている。コネクタ接続部７２〜７５の各両側は、メスコネクタとの接続部分でツイストペア線が解けないように、テープ８０により結束してある。
ツイストペア線８３の他端に接続された終端回路７８及びＣＡＮドライバ７９間のツイストペア線８３に、電圧計８１を接続してあり、この電圧計８１により、ケーブル８２の通流電流によるツイストペア線８３の誘導ノイズ電圧を測定した。
【００３５】
図６は、図５に示す試験回路による試験結果の例を集約した図表である。
コネクタ接続部７２〜７５の各中継コネクタを、従来品（立体交差無し）とした場合と、本願発明品（立体交差あり）とした場合とで、ツイストペア線８３に発生した誘導ノイズ電圧を測定した。中継コネクタには、従来品及び本願発明品の両方で、オス端子の幅が０．６４ｍｍである０．６４型と０．５ｍｍである０．５型とを使用した。
【００３６】
図６によれば、中継コネクタの長さは、立体交差有りの方が、０．６４型、０．５型共、５ｍｍ長くなるが、誘導ノイズ電圧は、立体交差有りの方が、０．６４型、０．５型共半減した。
コネクタピッチ（端子対の間隔）は、千鳥配列により、立体交差無し→立体交差有りで、０．６４型では２．２ｍｍ→３．７ｍｍとなり、その結果、コネクタインピーダンスが１０５Ω→１４５Ωとなって、コネクタピッチが広くなり過ぎることが分かる。０．５型では、コネクタピッチが１．５ｍｍ→２．５ｍｍとなり、その結果、コネクタインピーダンスが８５Ω→１１０Ωとなって、千鳥配列により、コネクタインピーダンスを適切に調整することが可能である。
【００３７】
以上より、０．５型の中継コネクタにおいて、本願発明を適用すれば、ノイズの影響が小さくなり、コネクタピッチを広く取ることができ、コネクタインピーダンスが適切になるので、中継コネクタを小型化することが可能である。また、０．６４型の中継コネクタにおいても、本願発明を適用し、千鳥配列等により、コネクタピッチを微調整することにより、ノイズの影響を小さくし、コネクタインピーダンスを適切な値にすることが可能である。
【符号の説明】
【００３８】
１ａ〜１ｊ  オス端子（第１端子）
２ａ〜２ｊ  接続導体
３ａ〜３ｊ  オス端子（第２端子）
６ａ〜６ｃ  ハウジング
７ａ〜７ｃ  樹脂
１０〜１３，１８〜２１，２６〜２９  仮想点列
４０ａ〜４０ｃ  中継コネクタ
５０ａ〜５０ｃ，６０ａ〜６０ｃ  メスコネクタ
７０  点火装置（イグナイタ）
７１  終端回路
７２〜７５  コネクタ接続部
７６，７８  ＣＭＣの終端回路
７７，７９  ＣＡＮドライバ
８１  電圧計
８２  ケーブル
８３  ツイストペア線
【図１】
2014222598.tif 000003
【図２】
2014222598.tif 000004
【図３】
2014222598.tif 000005
【図４】
2014222598.tif 000006
【図５】
2014222598.tif 000007
【図６】
2014222598.tif 000008